(57)【要約】【課題】簡単な構成でＡＴＳ地上子の周波数を可変するリレー接点をクリーニングしてリレー接点の信頼性を向上させる。【解決手段】コイルＬとコンデンサＣが並列に接続され地上子の共振周波数を変えるために、周波数選択信号ＳＧ１〜ＳＧ３により複数のコンデンサＣ１〜Ｃ３と地上子２のコンデンサＣとの接続を切り換える各制御リレーＲＹ１〜ＲＹ３が動作して複数のコンデンサＣ１〜Ｃ３と直列に接続した各リレー接点ＲＹ１−１〜ＲＹ３−１が閉じたとき、各リレー接点ＲＹ１−１〜ＲＹ３−１に各制御リレーＲＹ１〜ＲＹ３の他のリレー接点ＲＹ１−２〜ＲＹ３−２と抵抗を介して地上子２と車上子４が電磁結合したときに流れる微小電流より大きな電流を流して各リレー接点ＲＹ１−１〜ＲＹ３−１の表面をクリーニングする。【選択図】    図１
2007210539.tif 000002
【特許請求の範囲】
【請求項１】
地上子と地上子制御リレー部を有し、
前記地上子はコイルとコンデンサが並列に接続され、
前記地上子制御リレー部は複数のコンデンサＣ１〜Ｃｎと、各コンデンサＣ１〜Ｃｎに対応する周波数選択信号ＳＧ１〜ＳＧｎにより動作する複数の制御リレーＲＹ１〜ＲＹｎを有し、複数のコンデンサＣ１〜Ｃｎは、それぞれ対応する制御リレーＲＹ１〜ＲＹｎのリレー接点ＲＹ１−１〜ＲＹｎ−１を介して地上子のコンデンサと並列に接続され、各コンデンサＣ１〜Ｃｎとリレー接点ＲＹ１−１〜ＲＹｎ−１の接続部は各制御リレーＲＹ１〜ＲＹｎの他のリレー接点ＲＹ１−２〜ＲＹｎ−２と抵抗を介して周波数選択信号ＳＧ１〜ＳＧｎの入力端子に接続され、地上子のコンデンサと各リレー接点ＲＹ１−１〜ＲＹｎ−１の接続部はコモン端子に接続されていることを特徴とするＡＴＳ地上装置。
【発明の詳細な説明】
【技術分野】
【０００１】
この発明は、列車の停止制御や踏切制御等の各種列車制御に使用するＡＴＳ地上装置、特に地上子の周波数を可変するリレー接点の信頼性の向上に関するものである。
【背景技術】
【０００２】
例えば自動列車停止装置（ＡＴＳ）は、車上装置として車上子のコイルを帰還回路とした増幅器による発振回路部を設け、地上装置には一定周波数の共振回路からなる地上子を設け、走行している列車の車上子が地上子の上を通るときに、発振回路部の周波数が地上子に設定された共振回路の周波数に変周して、列車に停止指令を出す変周方式が採用されている。この地上子から送る情報量を増やすために、例えば特許文献１に共振周波数を多重化したＡＴＳが開示されている。この周波数を多重化したＡＴＳの地上装置１ａは、例えば図２の回路図に示すように、コイルＬとコンデンサＣ０からなる地上子２と、コンデンサＣ１〜Ｃ３を、それぞれ制御リレーＲＹ１〜ＲＹ３のリレー接点ＲＹ１−１〜ＲＹ３−１を介して地上子２のコンデンサＣ０と並列に接続した地上子制御リレー部３ａを有し、周波数選択信号ＳＧ１〜ＳＧ３により制御リレーＲＹ１〜ＲＹ３を切り換えることにより共振周波数を変えるようにしている。列車には車上子４のコイルを帰還回路とした増幅器５による発振回路部６の出力側にフィルタ７ａ〜７ｄと整流器８ａ〜８ｄ及びリレーｆ１Ｒ〜ｆ４Ｒからなる受信周波数のチャネルを共振周波数に応じて設けている。そして、例えば周波数選択信号ＳＧ１により制御リレーＲＹ１を動作させてリレー接点ＲＹ１−１を閉じてコンデンサＣ１をコンデンサＣ０と並列に接続して周波数ｆ２が設定されている地上子２と車上子４が電磁結合したときに、車上子４の受信信号で周波数ｆ２のリレーｆ２Ｒのコイルを励磁して、その他のリレーｆ１Ｒ，ｆ３Ｒ，ｆ４Ｒのコイルは無励磁になって、周波数ｆ２に応じた情報を出力する。このようにしてコンデンサＣ０〜Ｃ３で定まる周波数の情報を地上子２から列車に送るようにしている。
【０００３】
このＡＴＳは、車上子４と地上子２が電磁結合する時間は数ミリ秒と短時間であるため、一般のリレー制御と比較してリレー接点ＲＹ１−１〜ＲＹ３−１の接触信頼性を高める必要がある。一方、制御リレーＲＹ１〜ＲＹ３が使用される周囲環境は温度や振動及び排気ガス等の有害ガスの影響を受け易い劣悪な場所が多く、接点が汚れてしまう。また、昼間と夜間で温度差が生じる環境の下では結露により接点の汚れは加速してしまう。さらに、長期間の温度サイクルにより、内部構成部品などからの無機ガスや有機ガスの誘発が加速して接点の劣化をより加速させてしまう。
【０００４】
この接点の汚れを制御リレーＲＹ１〜ＲＹ３の動作により除去しようとしても、リレー接点ＲＹ１−１〜ＲＹ３−１が閉じる時点では、接点間は無電圧状態であり、地上子４と車上子２が電磁結合したときにリレー接点ＲＹ１−１〜ＲＹ３−１に流れるエネルギーも小さく、リレー接点ＲＹ１−１〜ＲＹ３−１が閉じた後には接点間には電圧がなく、接点のクリーニング作用は期待できない。
【０００５】
このような微小電流が流れる接点の汚れを除去して接点の接触抵抗を安定化するために、例えば特許文献２や特許文献３に示すように、接点が閉じるときに、接点に通常流れる微小電流より大きいフラッシュ電流を一定時間流してコヒーラ効果により接点の表面をクリーニングしたり、接点を開くときにフラッシュ電流を流して接点の表面をクリーニングしている。
【特許文献１】特許第２８７６００３号公報
【特許文献２】特開平６−９４７５８号公報
【特許文献３】特開２００１−８４８６０号公報
【発明の開示】
【発明が解決しようとする課題】
【０００６】
前記のように接点が閉じるときや接点が開くときに、定常電流より大きなフラッシュ電流を流して接点の表面をクリーニングするために、フラッシュ電流を流すためのフラッシュ用の電源や切換手段及びタイマー等を有する制御手段等を設ける必要があり、装置が複雑になるとともに高価格になるという短所がある。
【０００７】
この発明は、このような短所を改善し、簡単な構成で地上子の周波数を可変するリレー接点をクリーニングしてリレー接点の信頼性を向上させることができるＡＴＳ地上装置を提供することを目的とするものである。
【課題を解決するための手段】
【０００８】
この発明のＡＴＳ地上装置は、地上子と地上子制御リレー部を有し、前記地上子はコイルとコンデンサが並列に接続され、前記地上子制御リレー部は複数のコンデンサＣ１〜Ｃｎと、各コンデンサＣ１〜Ｃｎに対応する周波数選択信号ＳＧ１〜ＳＧｎにより動作する複数の制御リレーＲＹ１〜ＲＹｎを有し、複数のコンデンサＣ１〜Ｃｎは、それぞれ対応する制御リレーＲＹ１〜ＲＹｎのリレー接点ＲＹ１−１〜ＲＹｎ−１を介して地上子のコンデンサと並列に接続され、各コンデンサＣ１〜Ｃｎとリレー接点ＲＹ１−１〜ＲＹｎ−１の接続部は各制御リレーＲＹ１〜ＲＹｎの他のリレー接点ＲＹ１−２〜ＲＹｎ−２と抵抗を介して周波数選択信号ＳＧ１〜ＳＧｎの入力端子に接続され、地上子のコンデンサと各リレー接点ＲＹ１−１〜ＲＹｎ−１の接続部はコモン端子に接続されていることを特徴とする。
【発明の効果】
【０００９】
この発明のＡＴＳ地上装置は、コイルとコンデンサが並列に接続され地上子の共振周波数を変えるために、周波数選択信号により複数のコンデンサと地上子のコンデンサとの接続を切り換える各制御リレーが動作して複数のコンデンサと直列に接続した各リレー接点が閉じたとき、各リレー接点に地上子と車上子が電磁結合したときに流れる微小電流より大きな電流を流して各リレー接点の表面をクリーニングするから、接点の劣化を防止してリレー接点の信頼性を向上させることができる。
【００１０】
また、共振周波数を切り換える制御リレーの他のリレー接点及び周波数選択信号の電圧を使用して各コンデンサと直列に接続したリレー接点をクリーニングするから、既設の設備を利用して各コンデンサと直列に接続したリレー接点の接触抵抗を安定にすることができる。
【発明を実施するための最良の形態】
【００１１】
図１はこの発明のＡＴＳ地上装置の構成を示す回路図である。図に示すように、ＡＴＳ地上装置１は、地上子２と地上子制御リレー部３を有する。地上子２はコイルＬとコンデンサＣ０が並列に接続されている。地上子制御リレー部３はコンデンサＣ１〜Ｃ３と、周波数選択信号ＳＧ１〜ＳＧ３により動作する制御リレーＲＹ１〜ＲＹ３を有する。コンデンサＣ１〜Ｃ３は、それぞれ制御リレーＲＹ１〜ＲＹ３のリレー接点ＲＹ１−１〜ＲＹ３−１を介して地上子２のコンデンサＣ０と並列に接続している。コンデンサＣ１とリレー接点ＲＹ１−１の接続部は制御リレーＲＹ１の他のリレー接点ＲＹ１−２と抵抗Ｒ１を介して周波数選択信号ＳＧ１の入力端子に接続され、コンデンサＣ２とリレー接点ＲＹ２−１の接続部は制御リレーＲＹ２の他のリレー接点ＲＹ２−２と抵抗Ｒ２を介して周波数選択信号ＳＧ２の入力端子に接続され、コンデンサＣ３とリレー接点ＲＹ３−１の接続部は制御リレーＲＹ３の他のリレー接点ＲＹ３−２と抵抗Ｒ３を介して周波数選択信号ＳＧ３の入力端子に接続している。また、地上子２のコンデンサＣ０とコンデンサＣ１〜Ｃ３の接続部は周波数選択信号のコモン端子に接続している。
【００１２】
この地上子制御リレー部３は周波数選択信号ＳＧ１〜ＳＧ３により制御リレーＲＹ１〜ＲＹ３を動作、復旧させることによりコンデンサＣ１〜Ｃ３と地上子２のコンデンサＣ０との接続を切り換えて共振周波数を変えている。
【００１３】
この地上子制御リレー部３において、例えば周波数選択信号ＳＧ１が入力すると制御リレーＲＹ１が動作してリレー接点ＲＹ１−１を閉じてコンデンサＣ１をコンデンサＣ０と並列に接続するとともにリレー接点ＲＹ１−２が閉じる。リレー接点ＲＹ１−２が閉じると周波数選択信号ＳＧ１の電圧が抵抗Ｒ１とリレー接点ＲＹ１−２とリレー接点ＲＹ１−１及びコモン端子の間に印加され、抵抗Ｒ１とリレー接点ＲＹ１−２とリレー接点ＲＹ１−１及びコモン端子との間に電流が流れる。この電流がリレー接点ＲＹ１−１を流れるとき、リレー接点ＲＹ１−１には数ｍＡ例えば１０ｍＡの電流が流れるように抵抗Ｒ１の抵抗値が設定されている。このように周波数選択信号ＳＧ１が入力して制御リレーＲＹ１が動作したとき、コンデンサＣ１と直列に接続されたリレー接点ＲＹ１−１に、地上子２に車上子が電磁結合したときに流れる微小電流より大きな電流を流すことにより、リレー接点ＲＹ１−１の表面をクリーニングすることができ、接点の劣化を防止してリレー接点ＲＹ１−１の信頼性を向上することができる。この周波数選択信号ＳＧ１により抵抗Ｒ１とリレー接点ＲＹ１−２とリレー接点ＲＹ１−１に流す電流は電蝕を防止する観点から交流電流を流すことが望ましい。
【００１４】
また、共振周波数を切り換える制御リレーＲＹ１〜ＲＹ３のリレー接点ＲＹ１−２〜ＲＹ３−２及び周波数選択信号ＳＧ１〜ＳＧ３の電圧を使用してコンデンサＣ１〜Ｃ３と直列に接続したリレー接点ＲＹ１−１〜ＲＹ３−１をクリーニングするから、既設の設備を利用してリレー接点ＲＹ１−１〜ＲＹ３−１の接触抵抗を安定にすることができる。
【図面の簡単な説明】
【００１５】
【図１】この発明のＡＴＳ地上装置の構成を示す回路図である。
【図２】周波数を多重化したＡＴＳ装置の構成を示す回路図である。
【符号の説明】
【００１６】
１；ＡＴＳ地上装置、２；地上子、３；地上子制御リレー部、４；車上子、
５；増幅器、６；発振回路部、７；フィルタ、８；整流器、
ＲＹ１〜ＲＹ３；制御リレー、ｆ１Ｒ〜ｆ４Ｒ；リレー、Ｒ１〜Ｒ３；抵抗、
ＳＧ１〜ＳＧ３；周波数選択信号。
【図１】
2007210539.tif 000003
【図２】
2007210539.tif 000004